(57)【要約】【課題】  液晶表示装置を提供する。【解決手段】  本発明による液晶表示装置は、ゲート信号が印加される第１ゲート線及び第２ゲート線、データ信号が印加される第１データ線及び第２データ線、互いに異なる極性を有する第１基準電圧及び第２基準電圧がそれぞれ印加される第１基準電圧線及び第２基準電圧線、一つの画素領域に含まれている第１副画素電極、第２副画素電極及び第３副画素電極、第１ゲート線、第１データ線及び第１副画素電極に接続されている第１スイッチング素子、第１ゲート線、第１データ線及び第２副画素電極に接続されている第２スウィチン素子、第１ゲート線または第２ゲート線のうちのいずれか一つ、第１データ線または第２データ線のうちのいずれか一つ及び第３副画素電極に接続されている第３スイッチング素子、第１ゲート線、第１基準電圧線及び第１副画素電極に接続されている第４スイッチング素子、そして、第１ゲート線、第２基準電圧線及び第２副画素電極に接続されている第５スイッチング素子を含む。【選択図】    図１
2015114660.tif 000002
【特許請求の範囲】
【請求項１】
ゲート信号が印加される第１ゲート線及び第２ゲート線、
データ信号が印加される第１データ線及び第２データ線、
互いに異なる極性を有する第１基準電圧及び第２基準電圧がそれぞれ印加される第１基準電圧線及び第２基準電圧線、
一つの画素領域に含まれている第１副画素電極、第２副画素電極及び第３副画素電極、
前記第１ゲート線、前記第１データ線及び前記第１副画素電極に接続されている第１スイッチング素子、
前記第１ゲート線、前記第１データ線及び前記第２副画素電極に接続されている第２スイッチング素子、
前記第１ゲート線及び前記第２ゲート線のうちのいずれか一つ、前記第１データ線及び前記第２データ線のうちのいずれか一つ、及び前記第３副画素電極に接続されている第３スイッチング素子、
前記第１ゲート線、前記第１基準電圧線及び前記第１副画素電極に接続されている第４スイッチング素子、そして
前記第１ゲート線、前記第２基準電圧線及び前記第２副画素電極に接続されている第５スイッチング素子を含む液晶表示装置。
【請求項２】
前記第１データ線に印加される第１データ電圧及び前記第１基準電圧線に印加される前記第１基準電圧は同じ極性を有することを特徴とする請求項１に記載の液晶表示装置。
【請求項３】
前記第１データ線に印加される前記第１データ電圧及び前記第２基準電圧線に印加される前記第２基準電圧は反対極性を有するか、または、前記第２基準電圧線に印加される前記第２基準電圧は共通電圧と同一であることを特徴とする請求項２に記載の液晶表示装置。
【請求項４】
前記第１副画素電極に充電される第１副画素電圧、前記第２副画素電極に充電される第２副画素電圧、及び前記第３副画素電極に充電される第３副画素電圧は互いに異なることを特徴とする請求項３に記載の液晶表示装置。
【請求項５】
前記第１基準電圧線の前記第１基準電圧及び前記第２基準電圧線の前記第２基準電圧は一定の大きさを有し、フレーム反転することを特徴とする請求項４に記載の液晶表示装置。
【請求項６】
前記第３スイッチング素子は前記第２データ線に接続されていることを特徴とする請求項４に記載の液晶表示装置。
【請求項７】
前記第３スイッチング素子は前記第２ゲート線に接続されていることを特徴とする請求項６に記載の液晶表示装置。
【請求項８】
前記第１副画素電圧は前記第２副画素電圧より大きく、前記第２副画素電圧は前記第３副画素電圧より大きいことを特徴とする請求項４に記載の液晶表示装置。
【請求項９】
前記第１基準電圧線または前記第２基準電圧線のうちの少なくとも一つは前記第１ゲート線または前記第２ゲート線と同じ方向に伸びていることを特徴とする請求項１に記載の液晶表示装置。
【請求項１０】
前記第１基準電圧線または前記第２基準電圧線のうちの少なくとも一つは前記第１ゲート線または前記第２ゲート線と同一の層に位置することを特徴とする請求項９に記載の液晶表示装置。
【発明の詳細な説明】
【技術分野】
【０００１】
本発明は液晶表示装置に関する。
【背景技術】
【０００２】
液晶表示装置は現在最も幅広く使用されている平板表示装置のうちの一つであって、画素電極や共通電極など電場生成電極（ｆｉｅｌｄ  ｇｅｎｅｒａｔｉｎｇ  ｅｌｅｃｔｒｏｄｅ）が形成されている二枚の表示板とその間に入っている液晶層を含む。液晶表示装置は電場生成電極に電圧を印加して液晶層に電場を生成し、これを通じて液晶層の液晶分子の方向を決定して入射光の偏光を制御することによって映像を表示する。
【０００３】
このような液晶表示装置の中でも、電場が印加されない状態で液晶分子の長軸を表示板に対して垂直になるように配列した垂直配向方式（ｖｅｒｔｉｃａｌｌｙ  ａｌｉｇｎｅｄ  ｍｏｄｅ）の液晶表示装置が、コントラスト比が大きく基準視野角が広いため脚光を浴びている。ここで、基準視野角とはコントラスト比が１：１０である視野角または階調間輝度反転限界角度を意味する。
【０００４】
このような方式の液晶表示装置の場合には側面視認性を正面視認性に近づけるために、一つの画素を二つの副画素に分割し、いずれか一つの画素の電圧を低くするか高くするかして、二つの副画素の電圧を異にすることによって透過率を異にする方法が提示された。
【０００５】
しかし、このように、一つの画素を二つの副画素に分割し、いずれか一つの画素の電圧を低くするか高くするかして二つの副画素の電圧を異にする場合、高階調で輝度損失が発生したり、中間階調でバンプ現象による色歪曲などの問題が発生する。
【発明の概要】
【発明が解決しようとする課題】
【０００６】
本発明が解決しようとする課題は３分割の高視認性構造を有する液晶表示装置を提供することにある。
【課題を解決するための手段】
【０００７】
本発明の一実施形態による液晶表示装置は、ゲート信号が印加される第１ゲート線及び第２ゲート線、データ信号が印加される第１データ線及び第２データ線、互いに異なる極性を有する第１基準電圧と第２基準電圧がそれぞれ印加される第１基準電圧線及び第２基準電圧線、一つの画素領域に含まれている第１副画素電極、第２副画素電極及び第３副画素電極、前記第１ゲート線、前記第１データ線及び前記第１副画素電極に接続されている第１スイッチング素子、前記第１ゲート線、前記第１データ線及び前記第２副画素電極に接続されている第２スイッチング素子、前記第１ゲート線と前記第２ゲート線のうちのいずれか一つのゲート線、前記第１データ線と前記第２データ線のうちのいずれか一つのデータ線及び前記第３副画素電極に接続されている第３スイッチング素子、前記第１ゲート線、前記第１基準電圧線及び前記第１副画素電極に接続されている第４スイッチング素子、そして前記第１ゲート線、前記第２基準電圧線及び前記第２副画素電極に接続されている第５スイッチング素子を含む。
【０００８】
前記第１データ線に印加される第１データ電圧と前記第１基準電圧線に印加される前記第１基準電圧は共通電圧に対して同じ極性を有してもよい。
【０００９】
前記第１データ線に印加される前記第１データ電圧と前記第２基準電圧線に印加される前記第２基準電圧は前記共通電圧に対して反対極性を有するか前記第２基準電圧線に印加される前記第２基準電圧は前記共通電圧と同一であってもよい。
【００１０】
前記第１副画素電極に充電される第１副画素電圧、前記第２副画素電極に充電される第２副画素電圧、及び前記第３副画素電極に充電される第３副画素電圧は互いに異なってもよい。
【００１１】
前記第１基準電圧線の前記第１基準電圧と前記第２基準電圧線の前記第２基準電圧は一定の大きさを有し、フレーム反転してもよい。
【００１２】
前記第３スイッチング素子は前記第２データ線に接続してもよい。
【００１３】
前記第３スイッチング素子は前記第２ゲート線に接続してもよい
【００１４】
前記第１副画素電圧は前記第２副画素電圧より大きく、前記第２副画素電圧は前記第３副画素電圧より大きいものであってもよい。
【００１５】
前記第１基準電圧線または前記第２基準電圧線のうちの少なくとも一つは前記第１ゲート線または前記第２ゲート線と同じ方向に伸びているものであってもよい。
【００１６】
前記第１基準電圧線または前記第２基準電圧線のうちの少なくとも一つは前記第１ゲート線または前記第２ゲート線と同一の層に配置してもよい。
【００１７】
本発明の一実施形態による液晶表示装置は、ゲート信号が印加される第１ゲート線及び第２ゲート線、データ信号が印加される第１データ線及び第２データ線、第１基準電圧が印加される基準電圧線、前記第１データ線または前記第２データ線と同じ方向に伸びている遮蔽電極線、一つの画素領域に含まれている第１副画素電極、第２副画素電極及び第３副画素電極、前記第１ゲート線、前記第１データ線及び前記第１副画素電極に接続されている第１スイッチング素子、前記第１ゲート線、前記第１データ線及び前記第２副画素電極に接続されている第２スイッチング素子、前記第１ゲート線と前記第２ゲート線のうちのいずれか一つのゲート線、前記第１データ線と前記第２データ線のうちのいずれか一つのデータ線及び前記第３副画素電極に接続されている第３スイッチング素子、前記第１ゲート線、前記基準電圧線及び前記第１副画素電極に接続されている第４スイッチング素子、そして前記第１ゲート線、前記遮蔽電極線及び前記第２副画素電極に接続されている第５スイッチング素子を含む。
【００１８】
前記遮蔽電極線は前記第２データ線と重畳してもよい。
【００１９】
前記遮蔽電極線は前記第１副画素電極、前記第２副画素電極及び前記第３副画素電極と同一の層に配置してもよい。
【００２０】
前記遮蔽電極線は共通電圧を印加してもよい。
【００２１】
前記第１データ線に印加される第１データ電圧と前記第１基準電圧線に印加される第１基準電圧は共通電圧に対して同じ極性を有してもよい。
【００２２】
前記第１データ線に印加される前記第１データ電圧と前記第２基準電圧線に印加される第２基準電圧は前記共通電圧に対して反対極性を有するか前記第２基準電圧線に印加される前記第２基準電圧は前記共通電圧と同じものであってもよい。
【００２３】
前記第１副画素電極に充電される第１副画素電圧、前記第２副画素電極に充電される第２副画素電圧、及び前記第３副画素電極に充電される第３副画素電圧は互いに異なるものであってもよい。
【００２４】
前記第１基準電圧線と前記第２基準電圧線はフレーム反転してもよい。
【００２５】
前記第３スイッチング素子は前記第２データ線に接続してもよい。
【００２６】
前記第３スイッチング素子は前記第２ゲート線に接続してもよい。
【発明の効果】
【００２７】
本発明の一実施形態によれば、新しい画素構造を適用して画素領域を３分割し、３つの副画素領域の電圧を異にすることによって、側面のガンマ曲線特性を改善することができる。
【図面の簡単な説明】
【００２８】
【図１】本発明の一実施形態による液晶表示装置の等価回路図である。
【図２】図１の実施形態を変形した液晶表示装置の等価回路図である。
【図３】図２の実施形態における遮蔽電極線を示すための概略的な断面図である。
【図４】図１の実施形態を変形した液晶表示装置の等価回路図である。
【図５】図１の実施形態を変形した液晶表示装置の等価回路図である。
【図６】図１の実施形態を変形した液晶表示装置の等価回路図である。
【図７】図１の実施形態を変形した液晶表示装置の等価回路図である。
【図８】本発明の一実施例による液晶表示装置の画素電圧による透過率変化を示すグラフである。
【図９】本発明の一実施例による液晶表示装置の画素電圧による透過率変化を示すグラフである。
【図１０】本発明の一実施例による液晶表示装置の階調による透過率変化を示すグラフである。
【発明を実施するための形態】
【００２９】
添付した図面を参照して本発明の好ましい実施形態を詳しく説明する。しかし、本発明はここで説明される実施形態に限定されず、他の形態で具体化することもできる。むしろ、ここで紹介される実施形態は開示された内容が徹底的に完全になり得るように、そして当業者に本発明の思想が十分に伝達されるようにするために提供されるものである。
【００３０】
図面において、層及び領域の厚さは明確性を期するために誇張する場合がある。また、層が他の層または基板“上”にあると言及される場合に、それは他の層または基板上に直接形成されることも、それらの間に第３の層が介されることもある。明細書全体にわたって同一の参照番号で表示された部分は同一の構成要素を意味する。
【００３１】
要素また層が、他の要素または他の層「の上にある」または「に接続されている」と記載する場合には、直接または間接的に他の要素または他の層に接続されることをいい、間に別の要素または別の層が介在していてもよい。それに対して、要素が「の直接上にある」または「に直接接続されている」と記載する場合には、介在する別要素は存在しない。また、以下の説明において、Ｘ、ＹおよびＺの少なくとも１つとは、Ｘのみ、Ｙのみ、Ｚのみ、または、Ｘ、ＹおよびＺの２つ以上の任意の組合せ（例えば、ＸＹＺ、ＸＹＹ、ＹＺ、ＺＺ）を意味する。
【００３２】
図１を参照して本発明の一実施形態による液晶表示装置の信号線及び画素の配置、そしてその駆動方法について説明する。図１は本発明の一実施形態による液晶表示装置の等価回路図である。図１は一つの画素領域を示し、本実施形態で一つの画素領域を示す画素ＰＸは３つの副画素領域ＳＰ１、ＳＰ２、ＳＰ３を含む。画素ＰＸは上下左右に反復して配列してもよい。
【００３３】
図１に示すように、本実施形態による液晶表示装置で信号線（Ｇｎ、Ｄｎ、Ｃ１、Ｃ２、ｎは自然数）はゲート信号（「走査信号」とも言う）を伝達する複数のゲート線Ｇｎ、データ電圧を伝達する複数のデータ線Ｄｎ、そして所定の基準電圧を伝達する複数の対の基準電圧線Ｃ１、Ｃ２を含む。また、本発明の一実施形態による液晶表示装置は、液晶層に電場を形成するために電圧が印加される副画素電極１９１ａ、１９１ｂ、１９１ｃと共通電極２７０を含む。共通電極２７０には一定の電圧である共通電圧が印加されてもよい。基準電圧線Ｃ１、Ｃ２は互いに異なる極性の基準電圧を伝達する第１基準電圧線Ｃ１と第２基準電圧線Ｃ２を含む。第１基準電圧線Ｃ１と第２基準電圧線Ｃ２には一定の大きさの第１基準電圧と第２基準電圧が印加され、第１基準電圧と第２基準電圧はフレーム別に極性が変化する。例えば、共通電圧の大きさが約７．５Ｖである場合、第１基準電圧はフレーム別に約１５Ｖまたは約０Ｖの値を有し、第２基準電圧はこれとは反対に約０Ｖまたは約１５Ｖの値を有してもよい。第１基準電圧及び第２基準電圧はデータ電圧に印加される最大値より大きくても小さくてもよい。また、第１基準電圧及び第２基準電圧が共通電圧を基準に正の極性を有する場合の第１基準電圧及び第２基準電圧それぞれと共通電圧との値の差は、第１基準電圧及び第２基準電圧が共通電圧を基準に負の極性を有する場合の第１基準電圧及び第２基準電圧それぞれと共通電圧との値の差と異なるものであってもよい。
【００３４】
本実施形態で画素ＰＸは第１ゲート線Ｇｎ、第１データ線Ｄｎ、第１基準電圧線Ｃ１、第２基準電圧線Ｃ２、第１スイッチング素子Ｑ１、第２スイッチング素子Ｑ２、第３スイッチング素子Ｑ３、第４スイッチング素子Ｑ４、第５スイッチング素子Ｑ５、第１液晶キャパシタＣｌｃ＿ｈｉｇｈ、第２液晶キャパシタＣｌｃ＿ｌｏｗ、第３液晶キャパシタＣｌｃ＿ｍｉｄｄｌｅ、そして複数のストレージキャパシタ（図示せず）を含む。
【００３５】
第１スイッチング素子Ｑ１、第２スイッチング素子Ｑ２、第３スイッチング素子Ｑ３、第４スイッチング素子Ｑ４及び第５スイッチング素子Ｑ５はそれぞれ第１ゲート線Ｇｎ及び第１データ線Ｄｎに接続されている。本実施形態で、第４スイッチング素子Ｑ４は第１ゲート線Ｇｎ、第１基準電圧線Ｃ１及び第１スイッチング素子Ｑ１の出力端子に接続されており、第５スイッチング素子Ｑ５は第１ゲート線Ｇｎ、第２基準電圧線Ｃ２及び第２スイッチング素子Ｑ２の出力端子に接続されている。
【００３６】
第１スイッチング素子Ｑ１、第２スイッチング素子Ｑ２及び第３スイッチング素子Ｑ３の各制御端子は、薄膜トランジスタなどの三端子素子として第１ゲート線Ｇｎに接続され、各入力端子は第１データ線Ｄｎに接続されている。また、第１スイッチング素子Ｑ１の出力端子は第１副画素電極１９１ａ（すなわち第１液晶キャパシタＣｌｃ＿ｈｉｇｈ）及び第４スイッチング素子Ｑ４の出力端子に接続されており、第２スイッチング素子Ｑ２の出力端子は第２副画素電極１９１ｂ（すなわち第２液晶キャパシタＣｌｃ＿ｌｏｗ）及び第５スイッチング素子Ｑ５の出力端子に接続されている。そして、第３スイッチング素子Ｑ３の出力端子は第３副画素電極１９１ｃ（すなわち第３液晶キャパシタＣｌｃ＿ｍｉｄｄｌｅ）に接続されている。
【００３７】
第４スイッチング素子Ｑ４及び第５スイッチング素子Ｑ５の各制御端子も薄膜トランジスタなどの三端子素子として、第１ゲート線Ｇｎに接続され、第４スイッチング素子Ｑ４の入力端子は第１基準電圧線Ｃ１に接続され、出力端子は第１副画素電極１９１ａすなわち第１液晶キャパシタＣｌｃ＿ｈｉｇｈに接続されている。そして、第５スイッチング素子Ｑ５の入力端子は第２基準電圧線Ｃ２に接続され、出力端子は第２副画素電極１９１ｂすなわち第２液晶キャパシタＣｌｃ＿ｌｏｗと接続されている。
【００３８】
第１ゲート線Ｇｎにゲートオン信号が印加されると、これに接続された第１スイッチング素子Ｑ１、第２スイッチング素子Ｑ２、第３スイッチング素子Ｑ３、第４スイッチング素子Ｑ４、そして第５スイッチング素子Ｑ５がターンオンされる。これにより、第１データ線Ｄｎに印加されたデータ電圧はターンオンされた第１スイッチング素子Ｑ１、第２スイッチング素子Ｑ２及び第３スイッチング素子Ｑ３を通じてそれぞれ第１液晶キャパシタＣｌｃ＿ｈｉｇｈ、第２液晶キャパシタＣｌｃ＿ｌｏｗと第３液晶キャパシタＣｌｃ＿ｍｉｄｄｌｅの一端子である副画素電極１９１ａ、１９１ｂ、１９１ｃに印加される。この時、第１液晶キャパシタＣｌｃ＿ｈｉｇｈ、第２液晶キャパシタＣｌｃ＿ｌｏｗ及び第３液晶キャパシタＣｌｃ＿ｍｉｄｄｌｅは同じ電圧で充電される。
【００３９】
これと同時に、第１液晶キャパシタＣｌｃ＿ｈｉｇｈの一端子は第４スイッチング素子Ｑ４の出力端子に接続され、第４スイッチング素子Ｑ４を通じて、第１基準電圧線Ｃ１に印加される第１基準電圧によって昇圧される。この時、第１基準電圧線Ｃ１に印加される第１基準電圧は第１データ線Ｄｎに印加されるデータ電圧と同一の極性を有し、第１データ線Ｄｎに印加されるデータ電圧より大きくてもよい。したがって、第４スイッチング素子Ｑ４を通じて、相対的に高い電圧が印加される第１基準電圧線Ｃ１の電圧が分圧され、第１液晶キャパシタＣｌｃ＿ｈｉｇｈに充電される電圧は第１データ線Ｄｎを通じて印加されるデータ電圧より高い値を有する。
【００４０】
これと同時に、第２液晶キャパシタＣｌｃ＿ｌｏｗの一端子は第５スイッチング素子Ｑ５の出力端子に接続され、第５スイッチング素子Ｑ５を通じて、第２基準電圧線Ｃ２に印加される第２基準電圧によって強圧される。この時、第２基準電圧線Ｃ２に印加される第２基準電圧は第１データ線Ｄｎに印加されるデータ電圧と反対の極性を有し、第１データ線Ｄｎに印加されるデータ電圧より小さくてもよい。したがって、第５スイッチング素子Ｑ５を通じて、相対的に低い電圧が印加される第２基準電圧線Ｃ２の電圧が分圧され、第２液晶キャパシタＣｌｃ＿ｈｉｇｈに充電される電圧は第１データ線Ｄｎを通じて印加されるデータ電圧より小さい値を有する。
【００４１】
第３液晶キャパシタＣｌｃ＿ｍｉｄｄｌｅには第１データ線Ｄｎに印加されるデータ電圧がそのまま入力されるため、第３液晶キャパシタＣｌｃ＿ｍｉｄｄｌｅに充電される電圧は第２液晶キャパシタＣｌｃ＿ｌｏｗに充電される電圧より大きく、第１液晶キャパシタＣｌｃ＿ｈｉｇｈに充電される電圧より小さい値を有する。
【００４２】
前述のように、第１液晶キャパシタＣｌｃ＿ｈｉｇｈに充電された電圧、第２液晶キャパシタＣｌｃ＿ｌｏｗ及び第３液晶キャパシタＣｌｃ＿ｍｉｄｄｌｅに充電された電圧は互いに異なる。第１液晶キャパシタＣｌｃ＿ｈｉｇｈに充電された電圧、第２液晶キャパシタＣｌｃ＿ｌｏｗに充電された電圧及び第３液晶キャパシタＣｌｃ＿ｍｉｄｄｌｅに充電された電圧は互いに異なるので、第１副画素領域ＳＰ１、第２副画素領域ＳＰ２及び第３副画素領域ＳＰ３で液晶分子が傾く角度は互いに異なる。それゆえ、三つの副画素領域の輝度は互いに異なる。したがって、第１液晶キャパシタＣｌｃ＿ｈｉｇｈ及び第２液晶キャパシタＣｌｃ＿ｌｏｗ及び第３液晶キャパシタＣｌｃ＿ｍｉｄｄｌｅに充電される電圧をそれぞれ適切に調節すれば、側面から見る映像が正面から見る映像にできる限り近づけることができ、これによって側面視認性を改善することができる。
【００４３】
図２は図１の実施形態を変形した液晶表示装置の等価回路図である。
【００４４】
本実施形態で画素ＰＸは第１ゲート線Ｇｎ、第１データ線Ｄｎ、第１基準電圧線Ｃ１及び第２基準電圧線Ｃ２、第１スイッチング素子Ｑ１、第２スイッチング素子Ｑ２、第３スイッチング素子Ｑ３、第４スイッチング素子Ｑ４、第５スイッチング素子Ｑ５、第１液晶キャパシタＣｌｃ＿ｈｉｇｈ、第２液晶キャパシタＣｌｃ＿ｌｏｗ、第３液晶キャパシタＣｌｃ＿ｍｉｄｄｌｅ、そして複数のストレージキャパシタ（図示せず）を含む。
【００４５】
第１スイッチング素子Ｑ１、第２スイッチング素子Ｑ２、第３スイッチング素子Ｑ３、第４スイッチング素子Ｑ４及び第５スイッチング素子Ｑ５はそれぞれ第１ゲート線Ｇｎ及び第１データ線Ｄｎに接続されている。本実施形態で、第４スイッチング素子Ｑ４は第１ゲート線Ｇｎ、第１基準電圧線Ｃ１及び第１スイッチング素子Ｑ１の出力端子に接続されており、第５スイッチング素子Ｑ５は第１ゲート線Ｇｎ、遮蔽電極線１９３及び第２スイッチング素子Ｑ２の出力端子に接続されている。
【００４６】
図２の実施形態は図１の実施形態と異なり第５スイッチング素子Ｑ５が第２基準電圧線Ｃ２の代わりに遮蔽電極線１９３に接続されている。以下、図３を参照して、遮蔽電極線１９３について説明する。
【００４７】
図３は図２の実施形態における遮蔽電極線を示すための概略的な断面図である。
【００４８】
図３に示すように、本実施形態による遮蔽電極線１９３はデータ線１７１と重畳してもよい。下部表示板１００では下部基板１１０の上にゲート線（図示せず）と同一層に第１基準電圧線Ｃ１及び／または第２基準電圧線Ｃ２を配置してもよい。図示しなかったが、第１基準電圧線Ｃ１及び／または第２基準電圧線Ｃ２とデータ線１７１の間、また更に、データ線１７１と副画素電極１９１ｂ及び／または遮蔽電極線１９３の間には、層間絶縁層を提供してもよい。遮蔽電極線１９３は画素電極の一部である副画素電極１９１ｂと同一層に配置してもよい。上部表示板２００では上部基板２１０の上にデータ線１７１と重畳する部分にデータ線１７１より広い幅を有する遮光部材２２０を配置してもよい。上部基板２１０の上に共通電極２７０が位置する。共通電極２７０は下部表示板１００に位置する副画素電極１９１ｂとともに液晶キャパシタを形成する。上部表示板２００と下部表示板１００の間に液晶層３が位置し、液晶層３に形成された電界によって液晶分子が傾く。
【００４９】
再び図２、及び図３を参照すると、遮蔽電極線１９３には共通電極２７０に印加される共通電圧と同じ電圧が印加されてもよい。第２液晶キャパシタＣｌｃ＿ｌｏｗの一端子は第５スイッチング素子Ｑ５の出力端子に接続され、第５スイッチング素子Ｑ５を通じて、遮蔽電極線１９３に印加される共通電圧となる。
【００５０】
以上で説明した相違点以外については、図１の実施形態で説明した内容が本実施形態に適用できる。
【００５１】
図４は図１の実施形態を変形した液晶表示装置の等価回路図である。
【００５２】
図４に示すように、第１スイッチング素子Ｑ１、第２スイッチング素子Ｑ２、第４スイッチング素子Ｑ４及び第５スイッチング素子Ｑ５はそれぞれ第１ゲート線Ｇｎ及び第１データ線Ｄｎに接続されている。本実施形態で第３スイッチング素子Ｑ３は第１データ線Ｄｎと隣接する第２データ線Ｄｎ＋１と接続されている。本実施形態で、第４スイッチング素子Ｑ４は第１ゲート線Ｇｎ、第１基準電圧線Ｃ１及び第１スイッチング素子Ｑ１の出力端子に接続されており、第５スイッチング素子Ｑ５は第１ゲート線Ｇｎ、第２基準電圧線Ｃ２及び第２スイッチング素子Ｑ２の出力端子に接続されている。
【００５３】
以上で説明したように、本実施形態は、第３スイッチング素子Ｑ３が第２データ線Ｄｎ＋１に接続されるという相違点以外については、ほぼ図１の実施形態と同一である。したがって、このような相違点以外については図１の実施形態で説明した内容が本実施形態に適用できる。
【００５４】
図５は図１の実施形態を変形した液晶表示装置の等価回路図である。
【００５５】
図５に示すように、第１スイッチング素子Ｑ１、第２スイッチング素子Ｑ２、第４スイッチング素子Ｑ４及び第５スイッチング素子Ｑ５はそれぞれ第１ゲート線Ｇｎ及び第１データ線Ｄｎに接続されている。本実施形態で第３スイッチング素子Ｑ３は第１ゲート線Ｇｎと隣接する第２ゲート線Ｇｎ＋１に接続され、第１データ線Ｄｎと隣接する第２データ線Ｄｎ＋１と接続されている。本実施形態で、第４スイッチング素子Ｑ４は第１ゲート線Ｇｎ、第１基準電圧線Ｃ１及び第１スイッチング素子Ｑ１の出力端子に接続されており、第５スイッチング素子Ｑ５は第１ゲート線Ｇｎ、第２基準電圧線Ｃ２及び第２スイッチング素子Ｑ２の出力端子に接続されている。
【００５６】
以上で説明したように、本実施形態は第３スイッチング素子Ｑ３が第２ゲート線Ｇｎ＋１及び第２データ線Ｄｎ＋１に接続されるという相違点以外についてはほぼ図１の実施形態と同一である。したがって、このような相違点以外については図１の実施形態で説明した内容が本実施形態に適用できる。
【００５７】
図６は図１の実施形態を変形した液晶表示装置の等価回路図である。
【００５８】
図６に示すように、第１スイッチング素子Ｑ１、第２スイッチング素子Ｑ２、第４スイッチング素子Ｑ４及び第５スイッチング素子Ｑ５はそれぞれ第１ゲート線Ｇｎ及び第１データ線Ｄｎに接続されている。本実施形態で第３スイッチング素子Ｑ３は第１データ線Ｄｎと隣接する第２データ線Ｄｎ＋１と接続されている。本実施形態で、第４スイッチング素子Ｑ４は第１ゲート線Ｇｎ、第１基準電圧線Ｃ１及び第１スイッチング素子Ｑ１の出力端子に接続されており、第５スイッチング素子Ｑ５は第１ゲート線Ｇｎ、遮蔽電極線１９３及び第２スイッチング素子Ｑ２の出力端子に接続されている。
【００５９】
以上で説明したように、本実施形態は第３スイッチング素子Ｑ３が第２データ線Ｄｎ＋１に接続するという相違点以外についてはほぼ図２の実施形態と同一である。したがって、このような相違点以外については図２の実施形態で説明した内容が本実施形態に適用できる。
【００６０】
図７は図１の実施形態を変形した液晶表示装置の等価回路図である。
【００６１】
図７に示すように、第１スイッチング素子Ｑ１、第２スイッチング素子Ｑ２、第４スイッチング素子Ｑ４及び第５スイッチング素子Ｑ５はそれぞれ第１ゲート線Ｇｎ及び第１データ線Ｄｎに接続されている。本実施形態で第３スイッチング素子Ｑ３は第１ゲート線Ｇｎと隣接する第２ゲート線Ｇｎ＋１に接続され、第１データ線Ｄｎと隣接する第２データ線Ｄｎ＋１と接続されている。本実施形態で、第４スイッチング素子Ｑ４は第１ゲート線Ｇｎ、第１基準電圧線Ｃ１及び第１スイッチング素子Ｑ１の出力端子に接続されており、第５スイッチング素子Ｑ５は第１ゲート線Ｇｎ、遮蔽電極線１９３及び第２スイッチング素子Ｑ２の出力端子に接続されている。
【００６２】
以上で説明したように、本実施形態は第３スイッチング素子Ｑ３が第２ゲート線Ｇｎ＋１及び第２データ線Ｄｎ＋１に接続されるという相違点以外については図２の実施形態と同一である。したがって、このような相違点以外については図２の実施形態で説明した内容が本実施形態に適用できる。
【００６３】
以下、図８及び図９を参照して、本発明の一実施例による液晶表示装置の画素電圧による透過率変化について説明する。図８及び図９は本発明の一実施例による液晶表示装置の画素電圧による透過率変化を示すグラフである。
【００６４】
本実施例では第１比較対象の液晶表示装置として、画素電極を第１副画素電極と第２副画素電極とに区分した後、第２副画素電極に印加される電圧を分圧して、第２副画素電極の電圧を、入力されたデータ電圧よりも低くなるように調節する。この場合の、第１副画素電極に印加されるデータ電圧による透過率変化Ｈ１と第２副画素電極に印加されるデータ電圧による透過率変化Ｌ１を図８に示した。また、第２比較対象の液晶表示装置として、画素電極を第１副画素電極と第２副画素電極に区分した後、第１副画素電極の電圧を、入力されたデータ電圧よりも高くなるように調節する。この場合の、第１副画素電極に印加されるデータ電圧による透過率変化Ｈ２と第２副画素電極に印加されるデータ電圧による透過率変化Ｌ２を図９に示した。
【００６５】
まず、図８に示すように、データ線を通じて同じデータ電圧が印加された第１副画素電極及び第２副画素電極のうち、第２副画素電極の電圧が、一定の値だけ低くなる。したがって、入力されるデータ電圧の値が相対的に低い場合、例えば、データ電圧が約４Ｖ以下である場合、全体の透過率は第１副画素電極Ｈ１の透過率にのみ依存する。したがって、低階調領域、例えば、約２０グレー（２０Ｇ）までは透過率の変化が殆どなく、階調表現が不可能であることが分かった。また、約２０グレー（２０Ｇ）から約４０グレー（４０Ｇ）の範囲では、印加されるデータ電圧による透過率の増加率が大きくなり、透過率が突然上昇することによって、画面が白色になる現象（ｗｈｉｔｅ  ｓｃｒｅｅｎ  ｐｈｅｎｏｍｅｎｏｎ）が発生する可能性があることが分かった。このように、データ電圧によるグレー表現は困難であることが分かった。また、高階調領域、例えば、データ電圧が約６．７Ｖである場合、第２副画素電極の電圧による透過率が減少し、液晶表示装置の全体の透過率は入力されたデータ電圧に比べて低い。したがって、駆動電圧に比べて液晶表示装置の透過率の効率が低くなる。
【００６６】
図９に示すように、データ線を通じて同じデータ電圧が印加された第１副画素電極及び第２副画素電極のうち、第１副画素電極の電圧は一定の値だけ高くなる。したがって、低階調領域でも印加されたデータ電圧による透過率の変化が明確になるので、低階調でもグレー表現が可能である。
【００６７】
以下、図１０を参照して、本発明の他の一実施例による階調による透過率の変化について説明する。図１０は本発明の一実施例による液晶表示装置の階調による透過率の変化を示すグラフである。
【００６８】
本実施例では正面での階調別透過率変化（Ｘ）、第１比較対象の液晶表示装置として、画素電極を第１副画素電極と第２副画素電極とに区分した後、第２副画素電極に印加される電圧を分圧して、第２副画素電極の電圧を、入力されたデータ電圧よりも低くなるように調節した場合の側面での階調別透過率変化（Ａ１）、第２比較対象の液晶表示装置として、画素電極を第１副画素電極と第２副画素電極とに区分した後、第１副画素電極の電圧を入力されたデータ電圧よりも高くなるように調節した場合の階調別透過率変化（Ａ２）、そして、本発明の一実施形態による液晶表示装置のように、一つの画素を３分割し、第１副画素電極に印加された電圧を、入力されたデータ電圧よりも高くなるように調節し、第２副画素電極に印加された電圧を入力されたデータ電圧よりも低くなるように調節し、第３副画素電極に印加された電圧を入力されたデータ電圧と同一になるように調節した場合の階調別透過率変化（Ｅ）を測定して図１０に示した。
【００６９】
図１０に示すように、本発明の一実施形態による液晶表示装置の場合、領域１において第１比較対象Ａ１で発生する問題である、明暗比及び色コントラスト比が小さくなることによりイメージがぼやけて見える現象が改善され、第２比較対象Ａ２で発生する問題である、グラフが突然下がる区間によって示されるバンプ現象が緩和され色歪曲現象が改善される。
【００７０】
また、本発明の一実施形態による液晶表示装置の場合、領域２において第２比較対象Ａ２で発生する問題である、側面のガンマカーブが一定であったのが突然上がることによる、高階調イメージの歪曲を改善することができる。
【００７１】
以上で本発明の好ましい実施形態について詳細に説明したが、本発明の権利範囲はこれに限定されず、特許請求の範囲で定義している本発明の基本概念を利用した当業者の様々な変形及び改良形態も本発明の権利範囲に属する。
【符号の説明】
【００７２】
１１０、２１０      基板
１７１      データ線
１８０      保護膜
１９１ａ、１９１ｂ、１９１ｃ      副画素電極
１９３      遮蔽電極
２２０      遮光部材
２７０      共通電極
【図１】
2015114660.tif 000003
【図２】
2015114660.tif 000004
【図３】
2015114660.tif 000005
【図４】
2015114660.tif 000006
【図５】
2015114660.tif 000007
【図６】
2015114660.tif 000008
【図７】
2015114660.tif 000009
【図８】
2015114660.tif 000010
【図９】
2015114660.tif 000011
【図１０】
2015114660.tif 000012